(57)【要約】【課題】複数の電線にかかるストレスを低減する。【解決手段】画像形成装置１００は、ヒータ２６と、商用電源から交流電圧が供給され、複数の極を有する第一のコネクタ１０１ａが設けられた第一の基板１０２ａと、複数の極を有する第二のコネクタ１０１ｂが設けられた第二の基板１０２ｂと、複数の電線１０５と、複数の電線のそれぞれの一端部に接続された複数の極を有する第一のコネクタハウジング１０４ａと、複数の電線のぞれぞれの他端部に接続された複数の極を有する第二のコネクタハウジング１０４ｂと、を備え、第一のコネクタハウジングが第一のコネクタに接続され、第二のコネクタハウジングが第二のコネクタに接続されたときに複数の電線が互いに交差しないように、第一のコネクタハウジングの複数の極の配置と第二のコネクタハウジングの複数の極の配置が入れ替わるように複数の電線によって接続され、且つ、複数の電線は互いに異なる長さを有する。【選択図】図２
2020144155.tif 000002
【特許請求の範囲】
【請求項１】
シートに画像を形成する画像形成手段と、
ヒータを有し、前記画像を前記シートに定着させる定着手段と、
商用電源から交流電圧が供給され、複数の極を有する第一のコネクタが設けられた第一の基板と、
複数の極を有する第二のコネクタが設けられた第二の基板と、
複数の電線と、
前記複数の電線のそれぞれの一端部に接続された複数の極を有する第一のコネクタハウジングと、
前記複数の電線のぞれぞれの他端部に接続された複数の極を有する第二のコネクタハウジングと、
を備え、
前記第一のコネクタハウジングが前記第一のコネクタに着脱可能に接続され、前記第二のコネクタハウジングが前記第二のコネクタに着脱可能に接続されたときに前記複数の電線が互いに交差しないように、前記第一のコネクタハウジング及び前記第二のコネクタハウジングは、前記第一のコネクタハウジングの前記複数の極の配置と前記第二のコネクタハウジングの前記複数の極の配置が入れ替わるように前記複数の電線によって接続され、且つ、前記複数の電線は、互いに異なる長さを有していることを特徴とする画像形成装置。
【請求項２】
前記複数の電線のそれぞれの前記一端部に圧着された圧着端子と、
前記複数の電線のぞれぞれの前記他端部に圧着された圧着端子と、
を備え、
前記一端部の前記圧着端子は、前記第一のコネクタハウジングに挿入され、
前記他端部の前記圧着端子は、前記第二のコネクタハウジングに挿入されていることを特徴とする請求項１に記載の画像形成装置。
【請求項３】
前記一端部の前記圧着端子を前記第一のコネクタハウジングにロックするロック機構と、
前記他端部の前記圧着端子を前記第二のコネクタハウジングにロックするロック機構と、
を備えることを特徴とする請求項２に記載の画像形成装置。
【請求項４】
前記第一のコネクタ及び前記第二のコネクタは、電源用のコネクタであることを特徴とする請求項１乃至３のいずれか一項に記載の画像形成装置。
【請求項５】
前記第一のコネクタは、前記第一のコネクタハウジングが前記第一のコネクタから外れることを防止するために前記第一のコネクタハウジングを前記第一のコネクタにロックする第一のロック機構を有し、
前記第二のコネクタは、前記第二のコネクタハウジングが前記第二のコネクタから外れることを防止するために前記第二のコネクタハウジングを前記第二のコネクタにロックする第二のロック機構を有することを特徴とする請求項１乃至４のいずれか一項に記載の画像形成装置。
【請求項６】
前記第一のコネクタ及び前記第二のコネクタは、シングルコネクタ又はダブルコネクタであることを特徴とする請求項１乃至５のいずれか一項に記載の画像形成装置。
【請求項７】
前記第一の基板は、交流電源に接続されるＡＣ基板であり、
前記第二の基板は、交流を直流へ変換する電源基板であることを特徴とする請求項１乃至６のいずれか一項に記載の画像形成装置。
【請求項８】
前記第一の基板は、前記商用電源から供給される前記交流電圧を前記ヒータへ印加するために前記定着手段に接続されており、
前記第二の基板は、前記第一の基板を介して前記商用電源から供給される前記交流電圧を直流電圧へ変換することを特徴とする請求項１乃至６のいずれか一項に記載の画像形成装置。
【発明の詳細な説明】
【技術分野】
【０００１】
本発明は、基板と基板を接続する電線束を有する画像形成装置に関する。
【背景技術】
【０００２】
画像形成装置は、定着ヒータを熱源とする定着装置を有する。定着装置は、トライアック等のスイッチング素子を含む制御回路を有するＡＣ基板を介して交流電源に接続され、交流電源から電力が供給される。また、交流電源は、電源基板内で直流の低電圧に変換される。これは、エンジン、コントローラ、モータなどの負荷へ所定の直流電圧を供給するためである。なお、交流電源は、ＡＣ基板へ供給されるので、交流電源は、一般的にＡＣ基板を介して電源基板へ供給される。さらに、電源基板内で変換された低電圧は、ＡＣ基板内の分配回路を介して、エンジン、コントローラ、モータなどの負荷へ分配される。近年の画像形成装置の小型化という観点から、ＡＣ基板と電源基板は、できるだけ近接して配置されることが求められる。それに伴い、ＡＣ基板と電源基板を接続する複数の電線を束としてまとめたワイヤーハーネス（以下、電線束という）も短くすることが求められる。
【０００３】
ＡＣ基板と電源基板を結ぶ電線束は、両端部にコネクタハウジングが設けられている。コネクタハウジングと電線束の接続は、一般的に、次のようにして行われる。まず、電線束の複数の電線のそれぞれの両端部の絶縁被覆が除去される。絶縁被覆が除去された両端部に圧着端子（コンタクトピン）が圧着される。圧着端子は、コネクタハウジングの挿入部に挿入される。コネクタハウジングは、複数の極を有する。圧着端子は、一方のコネクタハウジングの極が電線によって他方のコネクタハウジングの同じ極に接続（１ｐｉｎと１ｐｉｎを接続、２ｐｉｎと２ｐｉｎを接続など）されるように、コネクタハウジングに挿入される。電線束の複数の電線のそれぞれは、径が太くコシが強いという特徴を持つ。電線の直径（被覆外径）を太くする理由は、ＡＣ基板と電源基板とを接続する電線には大電流が流れるからである。
【０００４】
このような特徴を持つ電線束において、複数の電線がねじれた状態で這い回されてしまうと、各電線及び圧着端子に大きなストレスがかかり、作業性が低下したり圧着端子が挿入部から抜けたりする虞がある。特許文献１は、電線束へのストレスを軽減する技術を開示している。特許文献１では、電線の両端の絶縁被覆を除去して第１および第２の端子を上下方向の向きを変えてそれぞれ圧着するとともに、これらの端子をコネクタハウジングの挿入部にそれぞれ挿入する技術が提案されている。これにより、電線にねじれが生じないので、柔軟性が高く容易に湾曲させることができ作業性が改善される。
【先行技術文献】
【特許文献】
【０００５】
【特許文献１】特開２００８−１０３７５号公報
【発明の概要】
【発明が解決しようとする課題】
【０００６】
しかし、特許文献１の従来技術では、電線どうしが交差するので電線及び端子にストレスがかかるという問題がある。特に、ＡＣ基板と電源基板とを結ぶ電線の直径（被覆外径）は許容電流に応じた太さになるので、電線束を湾曲させたときに電線及び端子にかかるストレスが増大しやすい。
【０００７】
そこで、本発明の目的は、ヒータへ交流電圧を印加するために交流電源に接続される基板と当該基板を介して交流電源から供給される交流電圧を直流電圧へ変換する基板とを接続するための、圧着端子を有する複数の電線にかかるストレスを低減することにある。
【課題を解決するための手段】
【０００８】
上記の課題を解決するために、本発明の一実施例に係る画像形成装置は、
シートに画像を形成する画像形成手段と、
ヒータを有し、前記画像を前記シートに定着させる定着手段と、
商用電源から交流電圧が供給され、複数の極を有する第一のコネクタが設けられた第一の基板と、
複数の極を有する第二のコネクタが設けられた第二の基板と、
複数の電線と、
前記複数の電線のそれぞれの一端部に接続された複数の極を有する第一のコネクタハウジングと、
前記複数の電線のぞれぞれの他端部に接続された複数の極を有する第二のコネクタハウジングと、
を備え、
前記第一のコネクタハウジングが前記第一のコネクタに着脱可能に接続され、前記第二のコネクタハウジングが前記第二のコネクタに着脱可能に接続されたときに前記複数の電線が互いに交差しないように、前記第一のコネクタハウジング及び前記第二のコネクタハウジングは、前記第一のコネクタハウジングの前記複数の極の配置と前記第二のコネクタハウジングの前記複数の極の配置が入れ替わるように前記複数の電線によって接続され、且つ、前記複数の電線は、互いに異なる長さを有していることを特徴とする。
【発明の効果】
【０００９】
本発明によれば、ヒータへ交流電圧を印加するために交流電源に接続される基板と当該基板を介して交流電源から供給される交流電圧を直流電圧へ変換する基板とを接続するための、圧着端子を有する複数の電線にかかるストレスを低減できる。
【図面の簡単な説明】
【００１０】
【図１】画像形成装置の断面図。
【図２】第１の実施形態による基板及び電線束を示す図。
【図３】第２の実施形態による基板及び電線束を示す図。
【発明を実施するための形態】
【００１１】
＜第１の実施形態＞
以下、図面に基づき第１の実施形態を説明する。
（画像形成装置）
図１は、画像形成装置１００の断面図である。画像形成装置１００は、電子写真画像形成プロセスを用いて記録媒体（以下、シートという）Ｐに画像を形成するフルカラーレーザビームプリンタである。しかし、画像形成装置１００は、デジタル複写機、カラーＬＥＤプリンタ、ＭＦＰ（複合機）、ファクシミリ装置又は印刷機であってもよい。また、画像形成装置１００は、カラー画像を形成する画像形成装置に限らず、モノクロ画像を形成する画像形成装置であってもよい。シートＰには、普通紙、薄紙、又は厚紙の他、特殊紙（エンボス紙、コート紙）、オーバーヘッドプロジェクタ用のプラスチックフィルム及び布などの任意の材料からなるもの、並びに封筒及びインデックスシートなどの任意の形状を有するものが含まれる。
【００１２】
画像形成装置１００は、４つの画像形成部（画像形成手段）１（１Ｙ、１Ｍ、１Ｃ、１Ｋ）を備えている。画像形成部１Ｙは、イエロー画像を形成する。画像形成部１Ｍは、マゼンタ画像を形成する。画像形成部１Ｃは、シアン画像を形成する。画像形成部１Ｋは、ブラック画像を形成する。４つの画像形成部１Ｙ、１Ｍ、１Ｃ及び１Ｋは、一定の間隔で一列に配置される。参照符号の添字Ｙ、Ｍ、ＣおよびＫは、それぞれイエロー、マゼンタ、シアン及びブラックを示す。以下の説明において、特に必要でない場合、参照符号の添字Ｙ、Ｍ、Ｃ、Ｋを省略することがある。４つの画像形成部１Ｙ、１Ｍ、１Ｃ及び１Ｋは、現像剤（トナー）の色を除いて同一の構造を有する。
【００１３】
画像形成部１Ｙ、１Ｍ、１Ｃ及び１Ｋは、像担持体としてのドラム型の電子写真感光体（以下、感光ドラムという）２Ｙ、２Ｍ、２Ｃ及び２Ｋがそれぞれ設けられている。感光ドラム２Ｙ、２Ｍ、２Ｃ及び２Ｋの周囲には、帯電器３Ｙ、３Ｍ、３Ｃ及び３Ｋ、現像装置４Ｙ、４Ｍ、４Ｃ及び４Ｋ、転写ローラ５Ｙ、５Ｍ、５Ｃ及び５Ｋ、及びドラムクリーナ装置６Ｙ、６Ｍ、６Ｃ及び６Ｋがそれぞれ配置されている。感光ドラム２Ｙ、２Ｍ、２Ｃ及び２Ｋの下方には、レーザー露光装置７が配置されている。レーザー露光装置７は、それぞれの色の画像信号に従って変調されたレーザー光を帯電器３Ｙ、３Ｍ、３Ｃ及び３Ｋと現像装置４Ｙ、４Ｍ、４Ｃ及び４Ｋのそれぞれの間で感光ドラム２Ｙ、２Ｍ、２Ｃ及び２Ｋの表面に照射する。
【００１４】
感光ドラム２Ｙ、２Ｍ、２Ｃ及び２Ｋは、負帯電のＯＰＣ感光体である。感光ドラム２Ｙ、２Ｍ、２Ｃ及び２Ｋのそれぞれは、アルミニウム製のドラム基体と、ドラム基体の上に形成された光導電層とを有する。感光ドラム２Ｙ、２Ｍ、２Ｃ及び２Ｋは、モータ（不図示）によって矢印Ｒで示す方向（図１における時計回り方向）に所定の回転速度で回転される。帯電器３Ｙ、３Ｍ、３Ｃ及び３Ｋは、帯電バイアス電源（不図示）から印加される帯電バイアスによって感光ドラム２Ｙ、２Ｍ、２Ｃ及び２Ｋの表面をそれぞれ負極性の所定電位に均一に帯電する。現像装置４Ｙ、４Ｍ、４Ｃ及び４Ｋには、それぞれイエロートナー、シアントナー、マゼンタトナー及びブラックトナーが収納されている。現像装置４Ｙ、４Ｍ、４Ｃ及び４Ｋは、感光ドラム２Ｙ、２Ｍ、２Ｃ及び２Ｋ上に形成される静電潜像にそれぞれの色のトナーを付着させてトナー像として現像（可視像化）する。転写ローラ５Ｙ、５Ｍ、５Ｃ及び５Ｋは、一次転写部３２Ｙ、３２Ｍ、３２Ｃ及び３２Ｋで中間転写ベルト８を介して感光ドラム２Ｙ、２Ｍ、２Ｃ及び２Ｋにそれぞれ当接可能に配置されている。ドラムクリーナ装置６Ｙ、６Ｍ、６Ｃ及び６Ｋは、一次転写後に感光ドラム２Ｙ、２Ｍ、２Ｃ及び２Ｋ上に残留したトナーを感光ドラム２Ｙ、２Ｍ、２Ｃ及び２Ｋから除去するためのクリーニングブレードを有している。
【００１５】
中間転写ベルト８は、感光ドラム２Ｙ、２Ｍ、２Ｃ及び２Ｋの上方に配置されている無端状のベルトである。中間転写ベルト８は、二次転写対向ローラ１０とテンションローラ１１によって張架されている。中間転写ベルト８は、矢印Ｅで示す方向（図１における反時計回り方向）に回転される。二次転写対向ローラ１０は、二次転写部３４において中間転写ベルト８を介して二次転写ローラ１２と当接可能に配置されている。二次転写対向ローラ１０は中間転写ベルト８に駆動力を付与する。テンションローラ１１は中間転写ベルト８に張力を付与する。中間転写ベルト８は、ポリカーボネート、ポリエチレンテレフタレート樹脂フィルム、ポリフッ化ビニリデン樹脂フィルム等の誘電体樹脂によって形成されている。また、中間転写ベルト８は、二次転写ローラ１２の側を下方にして感光ドラム２Ｙ、２Ｍ、２Ｃ及び２Ｋに対向する一次転写面（下部平面）８ａが傾斜するように配置されている。すなわち、中間転写ベルト８は、感光ドラム２Ｙ、２Ｍ、２Ｃ及び２Ｋの上面に対向して移動可能に配置され、二次転写部３４の側を下方にして感光ドラム２Ｙ、２Ｍ、２Ｃ及び２Ｋに対向する一次転写面８ａが傾斜するように配置されている。中間転写ベルト８の外側でテンションローラ１１の近傍には、二次転写後に中間転写ベルト８の表面に残ったトナーを除去して回収するベルトクリーニング装置１３が設けられている。
【００１６】
レーザー露光装置７は、入力される画像情報の時系列電気デジタル画素信号に従ってレーザー光を出射するレーザー発光素子、ポリゴンミラー７ａ、レンズ及び反射ミラーによって構成される。レーザー露光装置７は、各色の画像情報に従ってレーザー光を、帯電器３Ｙ、３Ｍ、３Ｃ及び３Ｋによって均一に帯電された感光ドラム２Ｙ、２Ｍ、２Ｃ及び２Ｋの表面へ出射し、感光ドラム２Ｙ、２Ｍ、２Ｃ及び２Ｋの表面上に静電潜像を形成する。定着手段としての定着装置１６は、シートＰの搬送方向において二次転写部３４の下流側に配置されている。定着装置１６は、シートＰ上のトナー像を加熱するためのヒータ２６を有する加熱ローラ２７と、加熱ローラ２７を押圧する加圧ローラ２８とを備える。ヒータ２６は、交流電圧が印加され、交流電圧に基づいて発熱量が制御される。
【００１７】
（画像形成動作）
次に、画像形成装置１００による画像形成動作を説明する。画像形成開始信号が発せられると、感光ドラム２Ｙ、２Ｍ、２Ｃ及び２Ｋは矢印Ｒで示す方向に回転され、中間転写ベルト８は矢印Ｅで示す方向に回転される。帯電器３Ｙ、３Ｍ、３Ｃ及び３Ｋは、所定の回転速度で回転される感光ドラム２Ｙ、２Ｍ、２Ｃ及び２Ｋの表面を負極性で均一に帯電する。レーザー露光装置７は、外部から入力される色分解された画像信号に従ってレーザー発光素子からレーザー光を出射する。レーザー光は、ポリゴンミラー７ａ、レンズ及び反射ミラーを経由して感光ドラム２Ｙ、２Ｍ、２Ｃ及び２Ｋの均一に帯電された表面上に照射され、各色の画像信号に基づく静電潜像を形成する。
【００１８】
まず、画像形成部１Ｙで、感光ドラム２Ｙ上に形成された静電潜像は、感光ドラム２Ｙの帯電極性（負極性）と同極性の現像バイアスが印加された現像装置４Ｙによってイエロートナーを付着され、イエロートナー像として可視像化される。イエロートナー像は、感光ドラム２Ｙと転写ローラ５Ｙとの間の一次転写部３２Ｙで、一次転写バイアス（トナーと逆極性（正極性））が印加された転写ローラ５Ｙによって中間転写ベルト８上に転写される。中間転写ベルト８上に転写されたイエロートナー像は、画像形成部１Ｍへ移動される。画像形成部１Ｍにおいても、同様にして、感光ドラム２Ｍの表面上にマゼンタトナー像が形成される。マゼンタトナー像は、一次転写部３２Ｍで、中間転写ベルト８上のイエロートナー像の上に重ね合わせて転写される。以下、同様にして、画像形成部１Ｃ及び１Ｋの感光ドラム２Ｃ及び２Ｋの表面上にシアントナー像及びブラックトナー像がそれぞれ形成される。シアントナー像及びブラックトナー像は、一次転写部３２Ｃ及び３２Ｋで、中間転写ベルト８上に重畳転写されたイエロートナー像及びマゼンタのトナー像上に順次重ね合わせて転写される。これによって、フルカラートナー像が中間転写ベルト８上に形成される。一次転写後に感光ドラム２Ｙ、２Ｍ、２Ｃ及び２Ｋの表面上に残ったトナーは、ドラムクリーナ装置６Ｙ、６Ｍ、６Ｃ及び６Ｋに設けられたクリーナブレードによって掻き落とされ、回収される。
【００１９】
一方、シートＰは、給送カセット１７又は手差し給送部２０から搬送パス１８を通してレジストレーションローラ１９へ給送される。レジストレーションローラ１９は、二次転写部３４でシートＰの先端が中間転写ベルト８上のフルカラートナー像の先端と一致するように、シートＰを二次転写部３４へ搬送する。二次転写部３４で、二次転写バイアス（トナーと逆極性（正極性））が印加された二次転写ローラ１２によってフルカラートナー像が一括してシートＰに転写される。フルカラートナー像が転写されたシートＰは、定着装置１６へ搬送される。定着装置１６は、フルカラートナー像を加熱及び加圧しフルカラートナー像をシートＰの表面に熱定着し、シートＰ上にフルカラー画像が形成される。画像が形成されたシートＰは、排出ローラ２１によって画像形成装置１００の本体の上面に設けられた排出トレイ２２へ排出される。なお、二次転写後に中間転写ベルト８上に残ったトナーは、ベルトクリーニング装置１３によって除去されて回収される。このようにして、片面印刷における一連の画像形成動作が終了する。
【００２０】
次に、両面印刷における画像形成装置１００の画像形成動作を説明する。片面印刷における画像形成動作と同様にして、シートＰの表面にフルカラートナー像が転写され、シートＰが定着装置１６へ搬送される。定着装置１６によってフルカラートナー像が加熱及び加圧されてシートＰの表面に熱定着された後、排出ローラ２１によってシートＰの大部分が排出トレイ２２上に排出された状態で排出ローラ２１の回転が停止される。その際、シートＰの後端位置が反転可能位置４２に到達するように、排出ローラ２１の回転が停止される。その後、排出ローラ２１を逆回転させることによって、反転可能位置４２に位置していたシートＰの後端を先端にして、シートＰが両面ローラ４０及び４１を備えた両面パス４３へ搬送される。
【００２１】
シートＰが両面ローラ４０へ到達すると、シートＰは、両面ローラ４０によって両面ローラ４１へ搬送される。そして、シートＰは、両面ローラ４１によってレジストレーションローラ１９へ搬送される。その間に、シートＰの裏面の画像形成開始信号が発生され、片面画像形成時と同様に中間転写ベルト８上にフルカラートナー像が形成される。レジストレーションローラ１９は、二次転写部３４でシートＰの先端が中間転写ベルト８上のフルカラートナー像の先端と一致するように、シートＰを二次転写部３４へ搬送する。二次転写部３４で、フルカラートナー像が一括してシートＰの裏面に転写される。定着装置１６は、シートＰの裏面に転写されたフルカラートナー像を定着させる。両面に画像が形成されたシートＰは、排出ローラ２１によって排出トレイ２２上に排出される。このようにして、両面印刷における一連の画像形成動作が終了する。
【００２２】
（基板及び電線束）
以下、図２を用いて、第１の実施形態による基板及び電線束を説明する。図２は、第１の実施形態による第一の基板１０２ａ、第二の基板１０２ｂ及び電線束１０３を示す図である。定着装置１６のヒータ２６は、トライアック等のスイッチング素子を含む制御回路を有するＡＣ基板（以下、第一の基板という）１０２ａを介して交流電源１１０に接続されている。交流電源１１０は交流の商用電源である。定着装置１６のヒータ２６は、第一の基板１０２ａを介して交流電源１１０から交流電圧が印加される。第一の基板１０２ａは、電線束１０３によって電源基板（以下、第二の基板という）１０２ｂに電気的に接続されている。上述したように、交流電源１１０の交流電圧は一度第一の基板１０２ａへ供給される。そのため、第二の基板１０２ｂは、第一の基板１０２ａを介して交流電源１１０から交流電圧が供給される。第二の基板１０２ｂは、交流電源１１０から供給される交流電圧を直流の低電圧へ変換する。第二の基板１０２ｂは、例えば、１００Ｖの交流電圧から３．３Ｖの直流電圧、１２Ｖの直流電圧、及び２４Ｖの直流電圧を生成する。第二の基板１０２ｂによって生成された直流電圧は、電線束１０３を介して、再び第一の基板１０２ａへ供給され、第一の基板１０２ａ内の分配回路を介して、画像形成部１、コントローラ、モータなどの負荷１１１へ分配される。
【００２３】
図２（ａ）に示すように、第一の基板１０２ａに実装された第一のコネクタ１０１ａと第二の基板１０２ｂに実装された第二のコネクタ１０１ｂは、水平に横並びで配置されている。第一のコネクタ１０１ａ及び第二のコネクタ１０１ｂは、電源用のコネクタである。第一のコネクタ１０１ａ及び第二のコネクタ１０１ｂは、シングルコネクタであってもダブルコネクタであってもよい。第一のコネクタ１０１ａの第一のロック機構１０７ａの向きは、第二のコネクタ１０１ｂの第二のロック機構１０７ｂの向きと同じである。第一のロック機構１０７ａ及び第二のロック機構１０７ｂは、例えば、第一のコネクタ１０１ａ及び第二のコネクタ１０１ｂと第一のコネクタハウジング１０４ａ及び第二のコネクタハウジング１０４ｂとを結合するスナップフィットである。電線束１０３の第一の端部（一端部）１０３ａには、第一のコネクタハウジング１０４ａが接続されている。第一のコネクタハウジング１０４ａは、第一のコネクタ１０１ａに着脱可能に装着される。第一のロック機構１０７ａは、第一のコネクタハウジング１０４ａが第一のコネクタ１０１ａから外れることを防止するために、第一のコネクタハウジング１０４ａを第一のコネクタ１０１ａにロックする。電線束１０３の第二の端部（他端部）１０３ｂには、第二のコネクタハウジング１０４ｂが接続されている。第二のコネクタハウジング１０４ｂは、第二のコネクタ１０１ｂに着脱可能に装着される。第二のロック機構１０７ｂは、第二のコネクタハウジング１０４ｂが第二のコネクタ１０１ｂから外れることを防止するために、第二のコネクタハウジング１０４ｂを第二のコネクタ１０１ｂにロックする。
【００２４】
図２（ｂ）は、両端部にそれぞれ第一のコネクタハウジング１０４ａ及び第二のコネクタハウジング１０４ｂが接続された電線束１０３を示す図である。電線束１０３は、複数の電線１０５ａ、１０５ｂ、１０５ｃ及び１０５ｄからなる。第一の実施形態において、電線束１０３は、４つの電線１０５ａ、１０５ｂ、１０５ｃ及び１０５ｄからなるが、電線１０５の数は、４つに限定されるものではない。電線１０５の数は、２つ以上であればよい。複数の電線１０５ａ、１０５ｂ、１０５ｃ及び１０５ｄのそれぞれの両端部は、絶縁被覆が除去され、圧着端子１０６が圧着されている。圧着端子１０６は、第一のコネクタハウジング１０４ａ及び第二のコネクタハウジング１０４ｂの複数の極１ｐｉｎ、２ｐｉｎ、３ｐｉｎ及び４ｐｉｎにそれぞれ挿入されている。第一のコネクタハウジング１０４ａ及び第二のコネクタハウジング１０４ｂの極数は、第一の実施形態において４極であるが、２極以上であればよい。圧着端子１０６は、第一のコネクタハウジング１０４ａ及び第二のコネクタハウジング１０４ｂの各極１ｐｉｎ、２ｐｉｎ、３ｐｉｎ及び４ｐｉｎに設けられたロック機構１０８によってロックされている。ロック機構１０８は、第一のコネクタハウジング１０４ａ及び第二のコネクタハウジング１０４ｂから電線１０５ａ、１０５ｂ、１０５ｃ及び１０５ｄが抜けることを抑制する。第一のコネクタハウジング１０４ａは、第一の基板１０２ａの第一のコネクタ１０１ａに接続される。第二のコネクタハウジング１０４ｂは、第二の基板１０２ｂの第二のコネクタ１０１ｂに接続される。これによって、第一の基板１０２ａと第二の基板１０２ｂは、電線１０５ａ、１０５ｂ、１０５ｃ及び１０５ｄを介して電気的に接続される。
【００２５】
一般的には、電線束１０３は、複数の電線１０５ａ、１０５ｂ、１０５ｃ及び１０５ｄによって第一のコネクタハウジング１０４ａの極が第二のコネクタハウジング１０４ｂの同じ極に接続されるように形成されている。従来の接続関係においては、第一のコネクタハウジング１０４ａの１ｐｉｎ、２ｐｉｎ、３ｐｉｎ及び４ｐｉｎが第二のコネクタハウジング１０４ｂの１ｐｉｎ、２ｐｉｎ、３ｐｉｎ及び４ｐｉｎとそれぞれ接続されるようになっていた。しかし、第１の実施形態の接続関係においては、第一のコネクタハウジング１０４ａの１ｐｉｎは、電線１０５ｄによって第二のコネクタハウジング１０４ｂの４ｐｉｎに接続される。第一のコネクタハウジング１０４ａの２ｐｉｎは、電線１０５ｃによって第二のコネクタハウジング１０４ｂの３ｐｉｎに接続される。第一のコネクタハウジング１０４ａの３ｐｉｎは、電線１０５ｂによって第二のコネクタハウジング１０４ｂの２ｐｉｎに接続される。第一のコネクタハウジング１０４ａの４ｐｉｎは、電線１０５ａによって第二のコネクタハウジング１０４ｂの１ｐｉｎに接続される。
【００２６】
第一のコネクタハウジング１０４ａの複数の極の配置と第二のコネクタハウジング１０４ｂの複数の極の配置が入れ替わるように、複数の電線１０５は、第一のコネクタハウジング１０４ａ及び第二のコネクタハウジング１０４ｂに接続されている。さらに、複数の電線１０５ａ、１０５ｂ、１０５ｃ及び１０５ｄは、互いに異なる長さを有する。第一の実施形態においては、電線１０５ａは電線１０５ｂより短く、電線１０５ｂは電線１０５ｃより短く、電線１０５ｃは電線１０５ｄより短い（１０５ａ＜１０５ｂ＜１０５ｃ＜１０５ｄ）。これによって、第一のコネクタハウジング１０４ａが第一のコネクタ１０１ａに着脱可能に接続され、第二のコネクタハウジング１０４ｂが第二のコネクタ１０１ｂに着脱可能に接続されたときに、複数の電線１０５は、互いに交差しない。これによって、電線１０５が交差することで電線１０５や圧着端子１０６にストレスがかかることを低減できる。
【００２７】
図２（ｃ）は、電線１０５の長さの定め方の一例を示す図である。電線１０５ａの直径をｘとし、電線１０５ｂの直径をｙとする。第一のコネクタハウジング１０４ａと第二のコネクタハウジング１０４ｂの間の距離をαとする。第一のコネクタハウジング１０４ａ及び第二のコネクタハウジング１０４ｂの上辺と電線１０５ａとの間の距離をβとする。第一のコネクタハウジング１０４ａ及び第二のコネクタハウジング１０４ｂの各極１ｐｉｎ、２ｐｉｎ、３ｐｉｎ及び４ｐｉｎの幅をγとする。また、図２（ｃ）に示す黒丸の位置を基準点Ｏとする。
【００２８】
基準点Ｏから電線１０５ａの横方向の距離Ａは、次の式１で示される。
【数１】
2020144155.tif 000003
基準点Ｏから電線１０５ａの縦方向の距離Ｂは、次の式２で示される。
【数２】
2020144155.tif 000004
距離Ａが距離Ｂ以上である（Ａ≧Ｂ）とした場合に、電線１０５ａの長さＬは、次の式３で示される。
【数３】
2020144155.tif 000005
【００２９】
また、基準点Ｏから電線１０５ｂの横方向の距離Ｃは、次の式４で示される。
【数４】
2020144155.tif 000006
基準点Ｏから電線１０５ｂの縦方向の距離Ｄは、次の式５で示される。
【数５】
2020144155.tif 000007
距離Ｃが距離Ｄ以上である（Ｃ≧Ｄ）とした場合に、電線１０５ｂの長さＬ’は、次の式６で示される。
【数６】
2020144155.tif 000008
【００３０】
第一のコネクタハウジング１０４ａと第二のコネクタハウジング１０４ｂの間の距離αを５０ｍｍとする（α＝５０ｍｍ）。第一のコネクタハウジング１０４ａ及び第二のコネクタハウジング１０４ｂの上辺と電線１０５ａとの間の距離βを２０ｍｍとする（β＝２０ｍｍ）。第一のコネクタハウジング１０４ａ及び第二のコネクタハウジング１０４ｂの各極１ｐｉｎ、２ｐｉｎ、３ｐｉｎ及び４ｐｉｎの幅γを５ｍｍとする（γ＝５ｍｍ）。電線１０５ａの直径（被覆外径）ｘ及び電線１０５ｂの直径（被覆外径）ｙを２ｍｍとする（ｘ＝ｙ＝２ｍｍ）。電線１０５ｃ及び電線１０５ｄの被覆外径も全て２ｍｍとする。この場合、式１乃至式６を用いて、電線１０５ａの長さＬは８０ｍｍ（Ｌ＝８０ｍｍ）、電線１０５ｂの長さＬ’は９５ｍｍ（Ｌ’＝９５ｍｍ）、電線１０５ｃの長さは１１０ｍｍ、及び電線１０５ｄの長さは１２６ｍｍと算出される。
【００３１】
また、これらの長さを最少寸法とし、全ての電線１０５ａ、１０５ｂ、１０５ｃ及び１０５ｄのそれぞれの長さが最少寸法＋５ｍｍ〜＋１０ｍｍの公差を有する場合でも、電線１０５どうしが互いに交差することはない。さらに、電線１０５ａ、１０５ｂ、１０５ｃ及び１０５ｄをタイラップ（登録商標）、インシュロック（登録商標）、結束バンド、テープ等の結束部材によって結束する場合に、以下の式７で示す範囲であれば、電線１０５どうしが交差することはない。
【数７】
2020144155.tif 000009
【００３２】
第１の実施形態によれば、電線束１０３の複数の電線１０５の長さを異ならせることによって、複数の電線１０５にかかるストレスを低減することができる。第１の実施形態によれば、複数の電線１０５にかかるストレスが低減するように複数の電線１０５が互いに交差しないように配置されるので、電線１０５ａどうしが交差して電線１０５や電線１０５に設けられた圧着端子１０６にストレスがかかることを抑制できる。第一の基板１０２ａは、ヒータ２６へ交流電圧を印加するために交流電源１１０に接続される。第二の基板１０２ｂは、第一の基板１０２ａを介して交流電源１１０から供給される交流電圧を直流電圧へ変換する。第１の実施形態によれば、第一の基板１０２ａと第二の基板１０２ｂとを接続するための、圧着端子１０６を有する複数の電線１０５にかかるストレスを低減できる。
【００３３】
＜第２の実施形態＞
以下、図３を用いて第２の実施形態を説明する。第２の実施形態において第１の実施形態と同様の構造には同様の参照符号を付して説明を省略する。第２の実施形態の画像形成装置１００及び画像形成動作は、第１の実施形態と同様であるので説明を省略する。
【００３４】
（基板及び電線束）
以下、図３を用いて、第２の実施形態による基板及び電線束を説明する。図３は、第２の実施形態による第一の基板１０２ａ、第二の基板１０２ｂ及び電線束１０３を示す図である。図３（ａ）に示すように、第一の基板１０２ａに実装された第一のコネクタ１０１ａと第二の基板１０２ｂに実装された第二のコネクタ１０１ｂは、互いに垂直に配置されている。図３（ａ）においては、電線束１０３の図示を省略している。第一のコネクタ１０１ａの第一のロック機構１０７ａは、上方を向いている。第二のコネクタ１０１ｂの第二のロック機構１０７ｂは、右方を向いている。
【００３５】
図３（ｂ）は、第一のコネクタ１０１ａに第一のコネクタハウジング１０４ａを接続し、第二のコネクタ１０１ｂに第二のコネクタハウジング１０４ｂを接続した場合の電線束１０３を上方から見た図である。第２の実施形態においては、第一のコネクタハウジング１０４ａの１ｐｉｎは、電線１０５ａによって第二のコネクタハウジング１０４ｂの４ｐｉｎに接続される。第一のコネクタハウジング１０４ａの２ｐｉｎは、電線１０５ｂによって第二のコネクタハウジング１０４ｂの３ｐｉｎに接続される。第一のコネクタハウジング１０４ａの３ｐｉｎは、電線１０５ｃによって第二のコネクタハウジング１０４ｂの２ｐｉｎに接続される。第一のコネクタハウジング１０４ａの４ｐｉｎは、電線１０５ｄによって第二のコネクタハウジング１０４ｂの１ｐｉｎに接続される。
【００３６】
複数の電線１０５ａ、１０５ｂ、１０５ｃ及び１０５ｄは、互いに交差しないように第一のコネクタハウジング１０４ａ及び第二のコネクタハウジング１０４ｂに極配置されている。複数の電線１０５ａ、１０５ｂ、１０５ｃ及び１０５ｄは、異なる長さを有する。第二の実施形態においては、電線１０５ａは電線１０５ｂより短く、電線１０５ｂは電線１０５ｃより短く、電線１０５ｃは電線１０５ｄより短い（１０５ａ＜１０５ｂ＜１０５ｃ＜１０５ｄ）。これによって、電線どうしが交差することを防いでいる。
【００３７】
図３（ｃ）は、電線１０５の長さの定め方の一例を示す図である。電線１０５ａの直径をｘとし、電線１０５ｂの直径をｙとする。第一のコネクタハウジング１０４ａと第二のコネクタハウジング１０４ｂの間の横方向の距離をｇとし、縦方向の距離をｈとする。第一のコネクタハウジング１０４ａ及び第二のコネクタハウジング１０４ｂの上辺と電線１０５ａとの間の距離をβとする。第一のコネクタハウジング１０４ａ及び第二のコネクタハウジング１０４ｂの各極１ｐｉｎ、２ｐｉｎ、３ｐｉｎ及び４ｐｉｎの幅をγとする。また、図３（ｃ）に示す黒丸の位置を基準点Ｏとする。
【００３８】
第一のコネクタハウジング１０４ａと第二のコネクタハウジング１０４ｂの間の距離αは、次の式８で示される。
【数８】
2020144155.tif 000010
距離αを確保しながら、その他の寸法は、第一の実施形態の図２（ｃ）に示すように、第一のコネクタハウジング１０４ａ及び第二のコネクタハウジング１０４ｂを横並びした寸法に近似して、電線１０５ａ及び１０５ｂの長さを算出する。
【００３９】
第一の実施形態の図２（ｃ）を参照して、基準点Ｏから電線１０５ａの横方向の距離Ａは、上記の式１で示される。
第一の実施形態の図２（ｃ）を参照して、基準点Ｏから電線１０５ａの縦方向の距離Ｂは、上記の式２で示される。
距離Ａが距離Ｂ以上である（Ａ≧Ｂ）とした場合に、電線１０５aの長さＬは、上記の式３で示される。
【００４０】
また、第一の実施形態の図２（ｃ）を参照して、基準点Ｏから電線１０５ｂの横方向の距離Ｃは、上記の式４で示される。
第一の実施形態の図２（ｃ）を参照して、基準点Ｏから電線１０５ｂの縦方向の距離Ｄは、上記の式５で示される。
距離Ｃが距離Ｄ以上である（Ｃ≧Ｄ）とした場合に、電線１０５ｂの長さＬ’は、上記の式６で示される。
【００４１】
第一のコネクタハウジング１０４ａと第二のコネクタハウジング１０４ｂの間の横方向の距離ｇを５０ｍｍとする（ｇ＝５０ｍｍ）。第一のコネクタハウジング１０４ａと第二のコネクタハウジング１０４ｂの間の縦方向の距離ｈを３０ｍｍとする（ｈ＝３０ｍｍ）。第一のコネクタハウジング１０４ａ及び第二のコネクタハウジング１０４ｂの上辺と電線１０５ａとの間の距離βを２０ｍｍとする（β＝２０ｍｍ）。第一のコネクタハウジング１０４ａ及び第二のコネクタハウジング１０４ｂの各極１ｐｉｎ、２ｐｉｎ、３ｐｉｎ及び４ｐｉｎの幅γを５ｍｍとする（γ＝５ｍｍ）。電線１０５ａの直径（被覆外径）ｘ及び電線１０５ｂの直径（被覆外径）ｙを２ｍｍとする（ｘ＝ｙ＝２ｍｍ）。電線１０５ｃ及び電線１０５ｄの被覆外径も全て２ｍｍとする。この場合、式１乃至式６及び式８を用いて、電線１０５ａの長さＬは９０ｍｍ（Ｌ＝９０ｍｍ）、電線１０５ｂの長さＬ’は１０５ｍｍ（Ｌ’＝１０５ｍｍ）、電線１０５ｃの長さは１２０ｍｍ、及び電線１０５ｄの長さは１３５ｍｍと算出される。
【００４２】
また、これらの長さを最少寸法とし、全ての電線１０５ａ、１０５ｂ、１０５ｃ及び１０５ｄのそれぞれの長さが最少寸法＋５ｍｍ〜＋１０ｍｍの公差を有する場合でも、電線１０５どうしが交差することはない。第１の実施形態と同様に、電線１０５ａ、１０５ｂ、１０５ｃ及び１０５ｄを結束部材によって結束する場合に、上記の式７で示す範囲であれば、電線１０５同士が交差することはない。
【００４３】
第２の実施形態によれば、電線束１０３の複数の電線１０５の長さを異ならせることによって、複数の電線１０５にかかるストレスを低減することができる。第２の実施形態によれば、複数の電線１０５にかかるストレスが低減するように複数の電線１０５が互いに交差しないように配置される。第一の基板１０２ａは、ヒータ２６へ交流電圧を印加するために交流電源１１０に接続される。第二の基板１０２ｂは、第一の基板１０２ａを介して交流電源１１０から供給される交流電圧を直流電圧へ変換する。第２の実施形態によれば、第一の基板１０２ａと第二の基板１０２ｂとを接続するための、圧着端子１０６を有する複数の電線１０５にかかるストレスを低減できる。
【００４４】
上述した第１の実施形態及び第２の実施形態は、第一のコネクタ１０１ａ、第二のコネクタ１０１ｂ、第一のコネクタハウジング１０４ａ及び第二のコネクタハウジング１０４ｂの極数が２極以上のものに適用可能である。特に、極数が４極以上である場合には、電線束１０３へストレスがかかりやすい。また、第１の実施形態及び第２の実施形態は、被覆外径が１．８ｍｍ以上である電線１０５ａ、１０５ｂ、１０５ｃ及び１０５ｄに適用可能である。
【００４５】
以上のように、第１及び第２の実施形態の画像形成装置１００は、第一のコネクタハウジング１０４ａ及び第二のコネクタハウジング１０４ｂの極配置を入れ替えて各極の電線１０５ａ、１０５ｂ、１０５ｃ及び１０５ｄの長さを異ならせる。これによって、電線束１０３へのストレスを低減することができる。それによって、作業性の低下や端子抜けなどの発生を抑制する効果を得ることができる。
【符号の説明】
【００４６】
１６・・・定着装置
２６・・・ヒータ
１００・・・画像形成装置
１０１ａ・・・第一のコネクタ
１０１ｂ・・・第二のコネクタ
１０２ａ・・・第一の基板
１０２ｂ・・・第二の基板
１０５ａ、１０５ｂ、１０５ｃ、１０５ｄ・・・電線
１０４ａ・・・第一のコネクタハウジング
１０４ｂ・・・第二のコネクタハウジング
１１０・・・交流電源
【図１】
2020144155.tif 000011
【図２】
2020144155.tif 000012
【図３】
2020144155.tif 000013